(57)【要約】 【課題】  搬送装置によって二輪車を自動的に搬入、搬出させるようにした立体駐輪装置であっても、電動の二輪車を駐輪中に充電することができるようにする。 【解決手段】  立体的に配置された複数の固定台１と、二輪車を保持するトレー２と、トレー２を収容して移動させる搬送装置とからなり、固定台１の一つに、二輪車を保持したトレー２を搬送装置で搬入し搬出する二輪車の立体駐輪装置であって、立体駐輪装置に、電源コネクター２１と給電コネクター２２とを備える充電装置を設け、固定台１に搬入されたトレー２に保持されている電動の二輪車１０に対し、駐輪中にバッテリー１１の充電を行えるようにした。 【選択図】  図３
2005081953.tif 000002
【特許請求の範囲】
【請求項１】
立体的に配置された複数の固定台（１）と、二輪車を保持するトレー（２）と、トレー（２）を収容して移動させる搬送装置とからなり、固定台（１）の一つに、二輪車を保持したトレー（２）を搬送装置で搬入し搬出する二輪車の立体駐輪装置であって、固定台（１）に搬入されたトレー（２）に保持されている電動の二輪車（１０）に対し、駐輪中にバッテリー（１１）の充電を行う充電装置が設けられていることを特徴とする充電機能付き立体駐輪装置。
【請求項２】
充電装置が、固定台（１）側に配置された電源コネクター（２１）と、トレー（２）側に配置された給電コネクター（２２）とを備えることを特徴とする請求項１に記載の充電機能付き立体駐輪装置。
【請求項３】
電源コネクター（２１）と給電コネクター（２２）とが、弾性体（２３）によって相手方に向けて押し付けられることを特徴とする請求項２に記載の充電機能付き立体駐輪装置。
【請求項４】
電源コネクター（２１）と給電コネクター（２２）とが、アクチュエーター（２５）によって互いに着脱することを特徴とする請求項２に記載の充電機能付き立体駐輪装置。
【発明の詳細な説明】
【技術分野】
【０００１】
本発明は、自転車やバイクといった二輪車を狭い面積内に多く駐輪するための立体駐輪装置に関するものであり、特に、駐輪時に電動アシスト自転車の充電をできるようにした充電機能付き立体駐輪装置に関するものである。
【背景技術】
【０００２】
最近では電動アシスト自転車の普及が進み、電動アシスト自転車の利用者から、駐輪時にバッテリーを充電しておきたいという要望が大きくなっている。そのため、従来から、駐輪場に充電装置を併設し、電動アシスト機能を有する自転車と、その機能を有しない一般の自転車とを混在して駐輪させつつ、必要に応じて電動アシスト自転車の充電をできるようにした駐輪装置が知られている。
【０００３】
図５は、このような従来の充電機能付き駐輪装置を示す斜視図であり、二輪車を駐輪する場所に、長手方向の任意の位置で電気的に接続可能な給電用レール３０を配置したものである。そして、駐輪中の電動の二輪車１０に対し、給電レール３０を介してバッテリー１１の充電が行えるようにしている。
【０００４】
すなわち、図５に示す充電機能付き駐輪装置にあって、給電レール３０は、駐輪場の床面に複数設けられた杭３１の上端に配置されている。また、給電レール３０には、電源に接続された電極板（図示せず）が備えられている。したがって、給電レール３０と電動の二輪車１０のバッテリー１１とを接続することにより、充電を行うことができる。
【０００５】
駐輪及び充電の具体的な作業は、電動の二輪車１０を給電レール３０の近くまで移動させ、給電コネクター３２を給電レール３０に嵌め込むことによって行う。ここで、給電コネクター３２は、給電レール３０の長手方向の任意の位置に配置することができる。そして、給電コネクター３２と電線で結ばれた充電コネクター３７をバッテリー１１に接続すれば、充電が開始される。
【０００６】
」
このように、従来の充電機能付き駐輪装置にあっては、電動の二輪車１０を給電レール３０の任意の位置に駐輪させ、同時に充電を行なうことができる。また、電動アシスト機能を有さず、充電を必要としない一般の二輪車も、給電レール３０に、例えばチェーン型のキー３８を用いて駐輪させることができる。
【特許文献１】特開平１０−５６７０３号公報
【発明の開示】
【発明が解決しようとする課題】
【０００７】
しかしながら、図５に示す充電機能付き駐輪装置は、駐輪場の利用者が自ら電動の二輪車１０を給電レール３０の近くまで移動させなければ、充電を行うことができない。すなわち、給電用レール３０を長手方向に配置し、任意の位置に駐輪させるものなので、搬送装置を使用して二輪車を搬入し搬出する駐輪装置は、全く想定されていない。
【０００８】
一方、自転車やバイクといった二輪車を狭い面積で数多く駐輪させるために、立体駐輪場が設置されることも多くなっている。そして特に、高層化に対応して、搬送装置によって二輪車を自動的に搬入、搬出させるようにした立体駐輪装置に対する需要が増えてきている。
【０００９】
そこで本発明は、搬送装置によって二輪車を自動的に搬入、搬出させるようにした立体駐輪装置であっても、電動の二輪車を駐輪中に充電することができるようにし、スペース効率及び利便性を大幅に向上させた充電機能付き立体駐輪装置を提供することを目的とするものである。
【課題を解決するための手段】
【００１０】
本発明は、以上の課題を解決するためになされたものであって、その要旨は、立体的に配置された複数の固定台と、二輪車を保持するトレーと、トレーを収容して移動させる搬送装置とからなり、固定台の一つに、二輪車を保持したトレーを搬送装置で搬入し搬出する二輪車の立体駐輪装置であって、固定台に搬入されたトレーに保持されている電動の二輪車に対し、駐輪中にバッテリーの充電を行う充電装置が設けられている充電機能付き立体駐輪装置に係るものである。
【００１１】
そして好ましくは、充電装置が、固定台側に配置された電源コネクターと、トレー側に配置された給電コネクターとを備える立体駐輪装置に係るものであって、この場合特に、電源コネクターと給電コネクターとが、弾性体によって相手方に向けて押し付けられるか、アクチュエーターによって互いに着脱するようにすることが好ましい。
【発明の効果】
【００１２】
本発明の充電機能付き立体駐輪装置は、固定台の一つに二輪車を保持したトレーを搬送装置で搬入し搬出するものであり、かつ、充電装置が設けられているので、高層化された立体駐輪装置における駐輪作業を自動化でき、しかも、固定台に搬入されたトレーに保持されている電動の二輪車に対し、搬入中にバッテリーの充電を行うことができる。
【発明を実施するための最良の形態】
【００１３】
本発明の充電機能付き立体駐輪装置は、立体的に配置された複数の固定台と、二輪車を保持するトレーと、トレーを収容して移動させる搬送装置とからなるものである。ここで例えば、固定台は、直方体の建屋内に上下横一列に並べて配置等すればよく、トレーは、断面凹状として二輪車の前後輪のいずれか一方か両輪の両側面を支持するようにすればよい。
【００１４】
また、搬送装置は、二輪車の搬入の際は、入口から空いている固定台まで上下左右にトレーを移動させ、二輪車の搬出の際は、搬出すべき二輪車が収納された固定台から出口まで上下左右にトレーを移動させる。
【００１５】
そして、固定台の一つに二輪車を保持したトレーを搬送装置で搬入し搬出するのであるが、そのため、搬送装置は例えば、トレーの移送具と、移送具の駆動装置と、移送具の変位装置とを有する。すなわち、移送具は、トレーを押し出したり引き出したりするものであり、駆動装置は、例えば移送具を往復運動させるものである。従って、移送具を固定台側に向けて作動させると、トレーを持ち上げることなく搬送装置上のトレーが固定台上に移し替えられる。
【００１６】
一方、移送具の変位装置は、固定台上のトレーの引き出しの際に必要なものである。すなわち、搬送装置は固定台と入口又は出口との間を移動するが、トレーを固定台上に押し出した移送具がトレーに近接していると、その後の搬送装置の移動に支障をきたしてしまう。そのため、トレーを押し出した後の移送具はトレーからある程度離間していなければならない。
【００１７】
ところが、トレーを固定台上から引き出すためには移送具をトレーに引っ掛ける等しなければならないので、トレーと移送具とを近接させる必要が生じる。そこで、移送具の変位装置を使用するのである。したがって、移送具を固定台側に変位させた後に移送具を逆作動させると、トレーを持ち上げることなく固定台上のトレーが搬送装置上に移し替えられる。
【００１８】
なお、搬送装置に収容されるトレーが１台のみであると、二輪車の搬入時に搬送装置上に空きトレーがなければ、最初に空きトレーを取りに行かなければならず、また、二輪車の搬出時に搬送装置上に空きトレーがあれば、最初に空きトレーを返しに行かなければならない。すると、それだけ二輪車の搬入及び搬出時間が長くなる。そこで、搬入及び搬出時間を一層短縮させるべく、搬送装置に複数のトレーを収容可能とし、かつ、固定台に、それぞれのトレーを独立に搬入及び搬出可能とすることが好ましい。
【００１９】
また、固定台の配置は、横一列に並べて上下方向に複数段配置することが一般的であるが、搬送装置を中心に十字型、凸型又は円型に並べて上下に配置することもできる。この場合、各固定台に二輪車を搬入し搬出するには、搬送装置に旋回機構を付加する必要があるが、十字や凸の組み合わせによって土地に合わせた形状の建屋を構築でき、土地利用率を大幅に向上させることができる。一方、円型とした場合には、二輪車で最も幅広の部分であるハンドル部を外側にすることによって、収容台数を増やすことが可能になる。
【００２０】
このように、本発明の充電機能付き立体駐輪装置は、二輪車を自動的に搬入、搬出させるようにしたものであるが、さらに、固定台に搬入されたトレーに保持されている電動の二輪車に対し、駐輪中にバッテリーの充電を行う充電装置が設けられている。そのため、電動の二輪車を駐輪中に充電することができる。
【００２１】
この点に関しさらに詳述すると、例えば充電装置は、固定台側に配置された電源コネクターと、トレー側に配置された給電コネクターとを備えている。ここで、電源コネクターは電源と接続されており、固定台にトレーが搬入されると、電源コネクターと給電コネクターとが通電する。なお、通電方法としては、両者を相互に接続したり、密着させたりする接触式とするのが一般的であるが、誘導電流を利用して通電させる等の非接触式とすることもできる。
【００２２】
また、固定台にトレーが搬入された際に、電源コネクターと給電コネクターとが離れると、通電が途切れてしまう。そこで、両者間の距離を通電可能な範囲に保持するために、スプリング等の弾性体によって相手方に向けて押し付けるようにしたり、アクチュエーターによって互いに着脱するようにしておくことが好ましい。
【００２３】
次に、バッテリーに対する充電は、給電コネクターと電線で結ばれた充電コネクターをバッテリーに接続することによって行う。すなわち、バッテリーまでの電源の供給は、電源コネクター、給電コネクター及び充電コネクターを介して行われることとなる。なお、充電コネクターとバッテリーとの接続は、立体駐輪装置の入口において、トレーに二輪車を保持する際に行っておく。
【００２４】
ところで、固定台側の電源コネクターは、全ての固定台に対して配置することもできるが、適当な間隔で配置したり、エリアを限定して配置することもできる。すなわち、本発明の充電機能付き立体駐輪装置は、充電の必要がない一般の二輪車も同じように駐輪できるものであって、駐輪の割合から考えれば、電動の二輪車の方が少ない。
【００２５】
そこで、電動の二輪車に限って、さらには、充電の要望がある二輪車に限って、電源コネクターが配置された固定台に搬入するようにすれば、固定台の数量を少なくすることができ、経済的である。なお、どの固定台にトレーを搬入するかは、搬送装置の制御によって簡単に選択できる。
【実施例１】
【００２６】
以下、本発明の実施例を図面に基づいて説明する。図１は、本発明の充電機能付き立体駐輪装置におけるトレーを示す図であり、図１（Ａ）はその正面図、図１（Ｂ）はその側面図である。図１（Ａ）に示すように、トレー２は断面凹状となっており、二輪車の前後輪を凹状の内面側に入れることで、前後輪の両側面を支持するようになっている。また、図１（Ｂ）に示すように、トレー２の下部にはガイドローラー２Ａと走行ローラー２Ｂとが取り付けられており、搬送装置に簡単に収容できるようになっている。
【００２７】
そして、トレー２の一端には給電コネクター２２が設けられ、充電コネクター２７と電線で結ばれている。電線は、給電コネクター２２からトレー２の中央付近までは横パイプ２Ｃ内を通り、中央付近からは縦パイプ２Ｄ内を通って持ち上げられ、さらに、フレキシブルパイプ２Ｅ内を通って充電コネクター２７に至る。なお、充電コネクター２７を使用しない場合には、フレキシブルパイプ２Ｅは縦パイプ２Ｄに引っ掛けられている。
【００２８】
図２は、電動の二輪車１０をトレー２に保持した状態を示す側面図である。図２に示すように、立体駐輪装置の入口において二輪車１０の前後輪をトレー２の内面に入れた後、フレキシブルパイプ２Ｅを適当に曲げて充電コネクター２７をバッテリー１１に接続しておく。
【００２９】
その後、図２の状態にあるトレー２を搬送装置に収容し、上下左右に動く搬送装置により、立体駐輪装置の入口から空いている固定台までトレー２を移動させ、二輪車１０を保持したトレー２を固定台に搬入する。なお、搬出の際は、搬送装置が逆に動いて固定台から入口までトレー２を移動させる。
【００３０】
図３は、このようにして電動の二輪車１０を搬入した駐輪状態を示す側面図である。図３に示すように、電動の二輪車１０を保持したトレー２が固定台１に搬入されると、固定台１側に配置された電源コネクター２１に、トレー２側に配置された給電コネクター２２が挿入され、導通が確保される。ここで、電源コネクター２１は電源に接続されているので、自動的にバッテリー１１が充電される。
【００３１】
ここで、単に、搬送装置によってトレー２を固定台１に搬入するだけでは、電源コネクター２１と給電コネクター２２との導通に問題が生ずることも考えられる。特に、接触式の通電方法を採用する場合には、電源コネクター２１と給電コネクター２２とが離れないように、何らかの方法で固定しておく必要がある。そのため、図３に示す固定台１には、アクチュエーター２５が取り付けられている。
【００３２】
すなわち、図４は、充電装置の周辺部分を示す拡大図であって、図４（Ａ）は、図３に示すアクチュエーター２５を利用した方法、図４（Ｂ）は、他の例として、弾性体（この場合は、スプリング）を利用した方法を示すものである。
【００３３】
図４（Ａ）において、固定台１には、エアシリンダのアクチュエーター２５と、フック２６とが取り付けられている。そして、固定台１にトレー２が搬入される前は、アクチュエーター２５に連動するフック２６が点線で示すように倒れている。ところが、搬送装置がトレー２を固定台１に搬入すると、アクチュエーター２５が作動し、実線で示すようにフック２６がトレー２の突起２Ｆを引っ掛け、電源コネクター２１と給電コネクター２２とが離れないようにしている。
【００３４】
また、図４（Ｂ）の例では、固定台１に、弾性体（スプリング）２３と、フック２４とが取り付けられている。そして、搬送装置がトレー２を固定台１に搬入すると、トレー２の突起２Ｆがフック２４を越えて引っ掛かるので、弾性体（スプリング）２３が圧縮された状態で固定される。したがって、電源コネクター２１と給電コネクター２２とが離れないようになる。なお、電源コネクター２１と給電コネクター２２との通電方法は、必ずしも接触式である必要はなく、誘導電流等を利用した非接触式のものであってもよい。
【産業上の利用可能性】
【００３５】
本発明の充電機能付き立体駐輪装置は、駐輪のための土地を確保することが困難な駅周辺等であっても、自転車やバイクといった二輪車を数多く駐輪させることができ、かつ、電動アシスト機能を有する自転車に対しては、駐輪中に充電しておきたいという利用者の要望に応じることができるものである。
【図面の簡単な説明】
【００３６】
【図１】充電機能付き立体駐輪装置におけるトレーを示す図である。（実施例）
【図２】電動の二輪車をトレーに保持した状態を示す側面図である。（実施例）
【図３】電動の二輪車を搬入した駐輪状態を示す側面図である。（実施例）
【図４】充電装置の周辺部分を示す拡大図である。（実施例１、実施例２）
【図５】充電機能付き駐輪装置を示す斜視図である。（従来例）
【符号の説明】
【００３７】
１      固定台
２      トレー
２Ａ      ガイドローラー
２Ｂ      走行ローラー
２Ｃ      横パイプ
２Ｄ      縦パイプ
２Ｅ      フレキシブルパイプ
２Ｆ      突起
１０    自転車
１１    バッテリー
２１    電源コネクター
２２    給電コネクター
２３    弾性体
２４    フック
２５    アクチュエーター
２６    フック
２７    充電コネクター
３０    給電用レール
３１    杭
３２    給電コネクター
３７    充電コネクター
３８    キー
【図１】
2005081953.tif 000003
【図２】
2005081953.tif 000004
【図３】
2005081953.tif 000005
【図４】
2005081953.tif 000006
【図５】
2005081953.tif 000007